(57)【要約】【課題】装置が複雑化することを防止しつつ複数の電線を短時間で配索可能な電線配索装置及び電線配索方法を提供すること。【解決手段】紐状部材３を引っ張ることで保持部材２を移動開始位置から目標位置まで移動させ、このとき電線ガイド部材４が電線Ｅを案内することで、複数の電線Ｅを容易に所定の形状に配索することができ、装置の複雑化を防止することができる。さらに、目標位置の数に応じた複数の保持部材２を用意し、各保持部材２を略同時または順次移動させることで、複数の電線Ｅを短時間で異なる形状に配索することができる。【選択図】図１
2015215997.tif 000002
【特許請求の範囲】
【請求項１】
布線板の表面に複数の電線を配索する電線配索装置であって、
前記電線の端部を保持するとともに前記布線板の表面上を移動可能な複数の保持部材と、
前記保持部材を、前記布線板の表面における所定の移動開始位置から当該電線の端部の目標位置まで移動させる移動手段と、
前記布線板の表面から突出して設けられるとともに、前記電線が所定の配索位置に配索されるように、前記保持部材に追従して移動する当該電線を案内する電線ガイド部材と、を備えることを特徴とする電線配索装置。
【請求項２】
前記電線ガイド部材が、前記配索位置から離れた位置に配されるとともに当該配索位置に向かって移動可能に構成され、この移動によって、前記端部が前記目標位置に移動させられた前記電線を前記配索位置に向けて移動させることを特徴とする請求項１に記載の電線配索装置。
【請求項３】
前記布線板の表面に設けられるとともに、前記保持部材が所定の経路を通り前記目標位置まで移動するように、当該保持部材を案内する移動ガイド部材をさらに備えることを特徴とする請求項１又は２に記載の電線配索装置。
【請求項４】
前記電線の一端部を保持した前記保持部材の前記移動開始位置が、当該電線の他端部の前記目標位置の近傍に設定されていることを特徴とする請求項１〜３いずれか１項に記載の電線配索装置。
【請求項５】
布線板の表面に複数の電線を配索する電線配索方法であって、
前記電線の端部を保持するとともに前記布線板の表面上を移動可能な複数の保持部材を、前記布線板の表面における所定の移動開始位置から当該電線の端部の目標位置まで移動させるとともに、
前記布線板の表面から突出して設けられた電線ガイド部材によって、前記電線を所定の配索位置に配索するように、前記保持部材に追従して移動する当該電線を案内することを特徴とする電線配索方法。
【発明の詳細な説明】
【技術分野】
【０００１】
本発明は、布線板の表面に複数の電線を配索する電線配索装置及び電線配索方法に関する。
【背景技術】
【０００２】
従来、布線板の表面に電線を配索する電線配索装置として、布線ヘッドを備えたものが提案されている（例えば、特許文献１参照）。特許文献１に記載された電線配索装置では、布線板の表面と平行に移動可能な布線ヘッドを用いることで、電線を任意の形状に配索可能に構成されている。
【先行技術文献】
【特許文献】
【０００３】
【特許文献１】特開昭６１−２９０１６号公報
【発明の概要】
【発明が解決しようとする課題】
【０００４】
しかしながら、特許文献１に記載の電線配索装置では、複数の電線をそれぞれ異なる形状に配索する場合、布線ヘッドを配索形状ごとに繰り返し移動させる必要があり、配索に要する時間が長くなってしまうという不都合があった。また、一枚の布線板に対して複数の布線ヘッドを設けて複数の電線を同時に配索する構成も考えられるが、このような構成では、装置全体が複雑化してしまうとともに、布線ヘッド同士の干渉を避けるために制御が複雑化してしまう。
【０００５】
本発明の目的は、装置が複雑化することを防止しつつ複数の電線を短時間で配索可能な電線配索装置及び電線配索方法を提供することにある。
【課題を解決するための手段】
【０００６】
前記課題を解決し目的を達成するために、請求項１に記載された発明は、布線板の表面に複数の電線を配索する電線配索装置であって、前記電線の端部を保持するとともに前記布線板の表面上を移動可能な複数の保持部材と、前記保持部材を、前記布線板の表面における所定の移動開始位置から当該電線の端部の目標位置まで移動させる移動手段と、前記布線板の表面から突出して設けられるとともに、前記電線が所定の配索位置に配索されるように、前記保持部材に追従して移動する当該電線を案内する電線ガイド部材と、を備えることを特徴とする電線配索装置である。
【０００７】
請求項２に記載された発明は、請求項１に記載の発明において、前記電線ガイド部材が、前記配索位置から離れた位置に配されるとともに当該配索位置に向かって移動可能に構成され、この移動によって、前記端部が前記目標位置に移動させられた前記電線を前記配索位置に向けて移動させることを特徴とするものである。
【０００８】
請求項３に記載された発明は、請求項１又は２に記載の発明において、前記布線板の表面に設けられるとともに、前記保持部材が所定の経路を通り前記目標位置まで移動するように、当該保持部材を案内する移動ガイド部材をさらに備えることを特徴とするものである。
【０００９】
請求項４に記載された発明は、請求項１〜３いずれか１項に記載の発明において、前記電線の一端部を保持した前記保持部材の前記移動開始位置が、当該電線の他端部の前記目標位置の近傍に設定されていることを特徴とするものである。
【００１０】
請求項５に記載された発明は、布線板の表面に複数の電線を配索する電線配索方法であって、前記電線の端部を保持するとともに前記布線板の表面上を移動可能な複数の保持部材を、前記布線板の表面における所定の移動開始位置から当該電線の端部の目標位置まで移動させるとともに、前記布線板の表面から突出して設けられた電線ガイド部材によって、前記電線を所定の配索位置に配索するように、前記保持部材に追従して移動する当該電線を案内することを特徴とする電線配索方法である。
【発明の効果】
【００１１】
請求項１に記載された発明によれば、移動手段が保持部材を移動開始位置から目標位置まで移動させるとともに、このとき電線ガイド部材が電線を案内することで、複数の電線を容易に所定の配索位置に配索することができ、装置の複雑化を防止することができる。さらに、目標位置の数に応じた複数の保持部材を用意し、各保持部材を略同時または順次移動させることで、複数の電線を短時間で異なる形状に配索することができる。
【００１２】
請求項２に記載された発明によれば、電線ガイド部材が電線を配索位置に向けて移動させることで、電線をより正確な形状に配索することができるとともに、複数の電線の配索位置が各々の近傍に設定されていれば、複数の電線を集めて束ねやすくすることができる。
【００１３】
請求項３に記載された発明によれば、移動ガイド部材が保持部材を案内することで、保持部材が目標位置から外れてしまうことや、他の保持部材の目標位置に向かってしまうことを防ぎ、電線を確実に配索することができる。
【００１４】
請求項４に記載された発明によれば、電線の一端部の移動開始位置が他端部の目標位置の近傍に設定されていることで、一端部を保持した保持部材が移動開始位置から目標位置まで移動するにしたがって、電線が順に電線ガイド部材によって案内されていき、電線全体をより正確な形状に配索することができる。
【００１５】
請求項５に記載された発明によれば、電線を保持した保持部材を移動開始位置から目標位置まで移動させるとともに、このとき電線ガイド部材に電線を案内させることで、前述のように複数の電線を容易に所定の配索位置に配索することができ、装置の複雑化を防止することができる。さらに、目標位置の数に応じた複数の保持部材を略同時または順次移動させることで、複数の電線を短時間で異なる形状に配索することができる。
【図面の簡単な説明】
【００１６】
【図１】本発明の実施形態に係る電線配索装置を示す平面図である。
【図２】前記電線配索装置の保持部材を示す斜視図である。
【図３】前記電線配索装置において前記保持部材を移動させた様子を示す平面図である。
【図４】前記電線配索装置において電線ガイド部材を移動させた様子を示す平面図である。
【発明を実施するための形態】
【００１７】
以下、本発明の実施形態を図面に基づいて説明する。本実施形態の電線配索装置１は、図１に示すように、布線板Ｂの表面上を移動可能な複数の保持部材２と、各保持部材２に取り付けられた紐状部材３と、電線Ｅを案内する電線ガイド部材４と、保持部材２を案内する移動ガイド部材５と、電線Ｅの端部の目標位置に設けられたストッパー６と、を備え、布線板Ｂ上に複数の電線Ｅを配索し、例えば車両ドア用のワイヤハーネスを形成するための装置である。電線Ｅは、図２に示すように、端部にコネクタＣを備えている。
【００１８】
保持部材２は、図２に示すように、布線板Ｂに載置されて移動可能な滑走部２１を備える。保持部材２は、滑走部２１の上側に電線ＥのコネクタＣが固定されることで、電線Ｅの端部を保持する。また、図１中下側の保持部材２Ａには、それぞれ１本の電線Ｅの端部に設けられたコネクタＣが固定され、上側の保持部材２Ｂには、４本又は２本の電線Ｅの端部に設けられたコネクタが固定されている。
【００１９】
滑走部２１は、図２に示す移動方向の前方側が先細形状（即ち、後方側に向かうにしたがって幅方向寸法が大きくなる形状）に形成されるとともに、紐状部材３を取り付けるための取付孔２１１が形成されている。また、滑走部２１には、端部にコネクタが設けられていない電線が固定されてもよい。
【００２０】
紐状部材３は、例えば、金属線を撚り合わせたケーブルや繊維を撚り合わせたロープであって、一端側が各保持部材２の取付孔２１１に取り付けられるとともに、他端側が布線板Ｂに形成された引き込み孔Ｂ１を通って布線板の裏面側に配される。引き込み孔Ｂ１は、ストッパー６よりも移動方向の前方側に形成されている。
【００２１】
電線ガイド部材４は、布線板Ｂの表面から突出した棒状に形成され、保持部材２に追従して移動する電線Ｅを案内するとともに、布線板Ｂに形成されたスリットＢ２に沿って移動可能に構成されている。また、電線ガイド部材４を移動させる機構としては、スリットＢ２に沿った方向に動作するものであればよく、例えば図示しないアクチュエータが設けられていてもよいし、手作業によって動作する図示しない動作機構が設けられていてもよい。スリットＢ２は、図１における左右方向に延びるとともに、保持部材２の移動を妨げないように細幅に形成されている。
【００２２】
移動ガイド部材５は、布線板Ｂの表面に立設された壁状に形成され、保持部材２が所定の経路を通り前記目標位置まで移動するように案内するとともに、ストッパー６よりも移動方向の後方側に設けられている。
【００２３】
ストッパー６は、布線板Ｂの表面に立設された壁状に形成されるとともに、保持部材２の先細形状に応じた形状、即ち、保持部材２と嵌まり合う形状に構成されている。
【００２４】
次に、布線板Ｂ上に電線Ｅを配索する方法について説明する。まず、複数の電線Ｅを互いに絡まり合わないように布線板Ｂに載置するとともに、各電線Ｅのコネクタを滑走部２１に固定し、保持部材２を所定の移動開始位置に移動させる。このとき、前工程において滑走部２１に電線Ｅのコネクタを固定し、この電線Ｅ及び保持部材２を布線板Ｂ上の移動開始位置に載置してもよい。本実施形態において、上側の保持部材２Ｂの移動開始位置と下側の保持部材２Ａの移動開始位置とは互いに離隔した位置に設定されている。
【００２５】
次に、布線板Ｂの裏面に配された紐状部材３の他端側を引っ張り、引き込み孔Ｂ１を通して裏面側に送り込んでいくことで、保持部材２を引き込み孔Ｂ１に向けて、即ち、目標位置に向けて移動させる。このとき、紐状部材３を引っ張る機構としては、紐状部材３を巻き取るものや、プーリーを回転させることで紐状部材３を所定方向に送るものであればよく、例えば図示しないモータ等の回転手段が設けられていてもよいし、手作業によって回転する動作機構が設けられていてもよい。即ち、紐状部材３が移動手段として機能し、回転手段が設けられる場合には紐状部材３と巻き取り手段とが移動手段として機能する。
【００２６】
各保持部材２は、移動ガイド部材５によって案内されることで所定の経路を通りつつ移動開始位置から目標位置に向かって移動する。保持部材２が移動経路から外れ、例えば前方側が移動ガイド部材５の端部に当接した場合、滑走部２１が先細形状であることから、保持部材２は、移動ガイド部材５の端部に引っ掛かってしまうことが防止されるとともに軌道修正されつつ移動する。
【００２７】
さらに、保持部材２に追従して移動する電線Ｅは、電線ガイド部材４によって案内されつつ移動し、図３に示すように所定の形状に配索される。
【００２８】
保持部材２が目標位置に到達すると、図３に示すようにストッパー６が保持部材２の移動を停止させ、電線Ｅの端部が目標位置に到達する。このように保持部材２を移動させる際、複数の保持部材２をそれぞれ略同時に移動させてもよいし、順次移動させてもよく、略同時に移動させれば複数の電線Ｅを短時間で配索することができ、順次（例えば、目標位置が移動開始位置から遠い順に）移動させれば電線Ｅ同士が絡まってしまうことをより確実に防止することができる。
【００２９】
次に、電線Ｅが図４に示すような配索位置に移動するように、電線ガイド部材４を移動させる。即ち、電線ガイド部材４は、保持部材２の移動前には配索位置から離れて設けられるとともに、移動後（即ち、電線Ｅの端部が目標位置に到達した後）には配索位置に向かって移動可能に設けられている。電線ガイド部材４によって配索位置に移動した複数の電線Ｅは一箇所に集められる。
【００３０】
以上のように、複数の電線Ｅが所定の形状に配索される。このように配索された複数の電線Ｅは、布線板Ｂに載置されたまま次工程に搬送されてもよいし、この形状を保ったまま他の布線板に移されて次工程に搬送されてもよい。
【００３１】
このような本実施形態によれば、以下のような効果がある。即ち、保持部材２を移動開始位置から目標位置まで移動させ、このとき電線ガイド部材４が電線Ｅを案内することで、複数の電線Ｅを容易に所定の形状に配索することができ、装置の複雑化を防止することができる。さらに、目標位置の数に応じた複数の保持部材２を用意し、各保持部材２を略同時または順次移動させることで、複数の電線Ｅを短時間で異なる形状に配索することができる。
【００３２】
さらに、電線ガイド部材４が電線Ｅの配索位置に向かって移動可能に構成されていることで、電線をより正確な形状に配索することができるとともに、複数の電線Ｅを一箇所に集めることによって束ねやすくすることができる。
【００３３】
また、移動ガイド部材５が保持部材２を目標位置に向けて案内することで、保持部材２が目標位置から外れてしまうことや、他の保持部材２の目標位置に向かってしまうことを防ぎ、電線Ｅを確実に配索することができる。
【００３４】
さらに、ストッパー６が保持部材２の先細形状と嵌まり合う形状を有していることで、保持部材２を目標位置において確実に停止させることができる。
【００３５】
なお、本発明は、前記実施形態に限定されるものではなく、本発明の目的が達成できる他の構成等を含み、以下に示すような変形等も本発明に含まれる。
【００３６】
例えば、前記実施形態では、上側の保持部材２Ｂの移動開始位置と下側の保持部材２Ａの移動開始位置とは互いに離隔した位置に設定されているものとしたが、移動開始位置は保持部材２を載置しやすい適宜な位置に設定されていればよく、例えば、電線Ｅの一端部を保持する保持部材２の移動開始位置を他端部の近傍に設定してもよい。例えば、図１において上側の保持部材２Ｂを予め目標位置に載置するとともに、下側の保持部材２Ａを保持部材２Ｂの近傍に載置してから保持部材２Ａの移動を開始してもよい。このような構成によれば、保持部材２Ａが移動開始位置から目標位置まで移動するにしたがって、電線Ｅが順に電線ガイド部材４によって案内されていき、電線Ｅ全体をより正確な形状に配索することができる。このとき、電線Ｅの他端部側において移動部材を用いることなくコネクタを目標位置に載置し、一端部側においてのみ保持部材を用いてもよい。
【００３７】
また、前記実施形態では、紐状部材３を布線板Ｂの裏面側から引っ張ることで保持部材２を移動させ、移動手段として機能させるものとしたが、布線板の表面側において紐状部材を引っ張ってもよい。また、移動手段は、保持部材を目標位置にまで移動させることができるものであればよく、例えば、磁性体が設けられた保持部材を布線板の裏面側から磁力によって移動させる構成であってもよいし、方向転換可能な車輪と当該車輪を回転させる駆動手段とが保持部材に設けられ、制御手段によって移動方向と移動距離とを制御する構成であってもよい。
【００３８】
また、前記実施形態では、電線ガイド部材４が電線Ｅの配索位置に向けて移動可能に構成されるものとしたが、電線ガイド部材は、電線を所定の配索位置に案内可能なものであれば固定されていてもよい。また、複数の電線の配索位置が複数箇所に分散されるとともに、電線ガイド部材が各配索位置に向けて移動可能に構成されることで、複数の電線が複数箇所に集められてもよい。
【００３９】
また、前記実施形態では、壁状の移動ガイド部材５が先細形状の保持部材２を案内するものとしたが、例えば、移動ガイド部材がレール状に形成されてこの上を保持部材が移動する構成であってもよい。また、保持部材は適宜な形状に形成されていればよい。さらに、各電線の目標位置が充分に離れている場合や、移動手段が保持部材を確実に目標位置に向けて移動させることができる場合には、移動ガイド部材が省略されていてもよい。
【００４０】
また、前記実施形態では、ストッパー６が設けられるものとしたが、例えば移動距離を制御することで保持部材が目標位置で移動を停止する構成であれば、ストッパーは省略されていてもよい。
【００４１】
また、前記実施形態では、合計６本の電線Ｅの一端を図１中下側の保持部材２Ａがそれぞれ１本ずつ保持するとともに、他端を上側の保持部材２Ｂが４本又は２本保持するものとしたが、全体の電線の本数や、保持部材が保持する電線の本数は任意に設定されていればよい。
【００４２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４３】
１   電線配索装置
２   保持部材
３   紐状部材（移動手段）
４   電線ガイド部材
５   移動ガイド部材
Ｂ   布線板
Ｅ   電線
【図１】
2015215997.tif 000003
【図２】
2015215997.tif 000004
【図３】
2015215997.tif 000005
【図４】
2015215997.tif 000006